(57)【要約】【課題】遊技施設において広告提供媒体の新たな設置場所等を必要とせず、また、商品宣伝効果の側面でも満足度の高い広告配信システムを提供する。【解決手段】遊技施設に設けられ、遊技に関する業務サービスを提供するための各種機器２１、２３、２５、２７、２９のうち、空いている各種機器を、広告配信サーバ１３から配信されてきた商品やサービス等の広告提供媒体として利用し、遊技に関する業務サービスを提供するための各種機器のうち、空いている各種機器に広告を配信し、広告配信サーバから配信されてきた商品やサービス等の広告提供媒体として利用することを特徴とする。【選択図】図１
2008032922.tif 000002
【特許請求の範囲】
【請求項１】
商品やサービス等の広告を配信するための広告配信サーバと、
遊技施設に設けられ、遊技に関する業務サービスを提供するための各種機器と、の間を、通信媒体を介して接続して構成される広告配信システムであって、
前記各種機器のうち、空いている各種機器に広告を配信し広告提供媒体として利用する
ことを特徴とする広告配信システム。
【請求項２】
請求項１記載の広告配信システムであって、
前記各種機器は、画像表示装置又は音声表示装置の少なくとも一方を備えている
ことを特徴とする広告配信システム。
【請求項３】
請求項１又は２記載の広告配信システムであって、
前記画像表示装置は、タッチパネル式の画像表示装置である
ことを特徴とする広告配信システム。
【請求項４】
請求項１〜３の何れかに記載の広告配信システムであって、
前記各種機器は、メダル預け払出機又は貸出機、両替機、ＰＯＳ端末、ゲーム機である
ことを特徴とする広告配信システム。
【請求項５】
請求項１〜４の何れかに記載の広告配信システムであって、
前記各種機器のそれぞれは、
自機の状態を検知する状態検知部と、
前記状態検知部で自機が待機状態にないことを検知したとき、自機を遊技施設モードで稼動させる一方、前記状態検知部で自機が待機状態にあることを検知したとき、自機を広告提供モードで稼動させるように、前記状態検知部での状態検知に基づいて自機の稼動モードを切換制御する制御部と、
を備えたことを特徴とする広告配信システム。
【請求項６】
請求項３〜５の何れかに記載の広告配信システムであって、
前記各種機器は、前記タッチパネル式の画像表示装置を介して、前記広告配信サーバから配信されてきた広告内容に基づいて、商品やサービス等の購入操作を受付ける
ことを特徴とする広告配信システム。
【請求項７】
請求項６記載の広告配信システムであって、
前記各種機器は、音声や映像データを外部機器にアップロードするためのポートを備え、前記タッチパネル式の画像表示装置を介して、前記広告配信サーバから配信されてきた広告内容に基づいて、音声や映像データの購入操作を受付けたとき、前記ポートを介して、該当する音声や映像データを前記外部機器にアップロードする
ことを特徴とする広告配信システム。
【発明の詳細な説明】
【技術分野】
【０００１】
本発明は、ゲームセンターなどの遊技施設に設けられた、メダル預け払出機又は貸出機、両替機、ＰＯＳ端末、ゲーム機等を広告提供媒体として利用する広告配信システムに関する。
【背景技術】
【０００２】
ゲームセンターなどの遊技施設においては、ビンゴゲームや競馬ゲームなど、メダル（あるいはコイン）をゲーム用媒体として使用する様々なメダルゲーム機や、メダル預け払出機又は貸出機などの各種機器が設置されている。
【０００３】
こうした遊技施設には、メダルゲーム機でゲームを行うために、また、ゲームに興じているプレーヤーの遊技風景を観覧する等のために、大勢の人が集まる。そうした大勢の人に対して、吸引力の強い商品広告を提供することができれば、その商品の宣伝効果が高まるであろうことは想像に難くない。そこで、遊技施設内の目立つ場所にディスプレイ装置等の広告提供媒体を設置し、同広告提供媒体を介して商品広告に係る静止画や動画を流すことが考えられる。
【０００４】
しかしながら、上述した従来の広告方法では、広告提供媒体の設置場所が新たに必要となり、また、周辺設備との関係からその設置場所も限定されるため、一部の人しか見ることができず、商品宣伝効果の側面でも不満があった。
【０００５】
また、特許文献１のように遊技機等に遊技画面とは別の広告用画面を設置し、該広告用画面に広告を流す技術も存在する。
【０００６】
しかし、この場合は、遊技機が大型化するという問題がある。
【０００７】
【特許文献１】特開２００５−２９６１４３号公報
【発明の開示】
【発明が解決しようとする課題】
【０００８】
解決しようとする問題点は、従来の広告方法では、遊技施設において広告提供媒体の新たな設置場所等を必要とし、また、商品宣伝効果の側面でも不満があった点である。
【課題を解決するための手段】
【０００９】
本発明は、遊技施設内において広告提供媒体の新たな設置場所等を必要とせず、また、商品宣伝効果の側面でも満足度の高い広告配信システムを提供することを目的として、下記の課題解決手段を採用した。
【００１０】
すなわち、
（１）商品やサービス等の広告を配信するための広告配信サーバと、遊技施設に設けられ、遊技に関する業務サービスを提供するための各種機器と、の間を、通信媒体を介して接続して構成される広告配信システムであって、前記各種機器のうち、空いている各種機器に広告を配信し広告提供媒体として利用することを特徴とする。
（２）（１）記載の広告配信システムであって、前記各種機器は、画像表示装置又は音声表示装置の少なくとも一方を備えていることを特徴とする。
（３）（１）又は（２）記載の広告配信システムであって、前記画像表示装置は、タッチパネル式の画像表示装置であることを特徴とする。
（４）（１）〜（３）の何れかに記載の広告配信システムであって、前記各種機器は、メダル預け払出機又は貸出機、両替機、ＰＯＳ端末、ゲーム機であることを特徴とする。
（５）（１）〜（４）の何れかに記載の広告配信システムであって、前記各種機器のそれぞれは、自機の状態を検知する状態検知部と、前記状態検知部で自機が待機状態にないことを検知したとき、自機を遊技施設モードで稼動させる一方、前記状態検知部で自機が待機状態にあることを検知したとき、自機を広告提供モードで稼動させるように、前記状態検知部での状態検知に基づいて自機の稼動モードを切換制御する制御部と、を備えたことを特徴とする。
（６）（３）〜（５）の何れかに記載の広告配信システムであって、前記各種機器は、前記タッチパネル式の画像表示装置を介して、前記広告配信サーバから配信されてきた広告内容に基づいて、商品やサービス等の購入操作を受付けることを特徴とする。
（７）（６）記載の広告配信システムであって、前記各種機器は、音声や映像データを外部機器にアップロードするためのポートを備え、前記タッチパネル式の画像表示装置を介して、前記広告配信サーバから配信されてきた広告内容に基づいて、音声や映像データの購入操作を受付けたとき、前記ポートを介して、該当する音声や映像データを前記外部機器にアップロードすることを特徴とする。
【発明の効果】
【００１１】
本発明によれば、遊技施設に設けられ、遊技に関する業務サービスを提供するための各種機器のうち、空いている各種機器に広告を配信し、広告配信サーバから配信されてきた商品やサービス等の広告提供媒体として利用することができる。従って、遊技施設において広告提供媒体の新たな設置場所を必要とせず、また、各種機器は遊技施設内において目立つ場所に設置されているのが通例であるから、商品宣伝効果の側面でも満足度の高い広告配信システムを提供することができる。
【発明を実施するための最良の形態】
【００１２】
遊技施設内において広告提供媒体の新たな設置場所を必要とせず、また、商品宣伝効果の側面でも満足度の高い広告配信システムを提供するという目的を、遊技施設に設けられ、遊技に関する業務サービスを提供するための各種機器のうち、空いている各種機器を、広告提供媒体として利用することにより実現した。
【００１３】
以下に、本発明に係る広告配信システムの好ましい実施形態について、図面を参照しつつ詳細に説明する。
【００１４】
図１は本発明の一実施形態を示す広告配信システムのブロック構成図であり、図２は広告提供媒体として利用されるメダル預け払出機（各種機器の一例）の外観図である。
【００１５】
図１に示すように、広告配信システム１１は、商品やサービス等の広告を配信するための広告配信サーバ１３と、遊技施設に設けられ、遊技に関する業務サービスを提供するための各種機器を含む施設内システム１５と、の間を、インターネット網や専用線等の通信媒体１７を介して接続して構成されている。
【００１６】
広告配信サーバ１３には、商品やサービス等の販売促進のための、文字情報、音声情報、画像情報（静止画、動画）又はこれらの組み合わせを含む広告データを、広告主と関連付けて記憶するための広告データベース１９が接続されている。広告配信サーバ１３は、広告データを作成するとともに、作成した広告データを、広告主と関連付けて広告データベース１９に記憶させる機能と、遊技施設側と、広告主との間で交わされた広告配信契約内容に従って、広告データベース１９に記憶された広告データを遊技施設宛に配信する機能と、を有している。
【００１７】
施設内システム１５は、遊技施設内におけるメダル情報を含む各種情報を統括管理するサーバ機能を有し、メダルの預入と払出しを行うためのメダル預け払出機２１と、メダルの貸出を行うためのメダル貸出機２３と、紙幣等の両替を行うための両替機２５と、例えば、メダルの預入／払出しや両替などの、遊戯施設内で発生するあらゆる事象を、発生時刻と関連付けて記憶管理するためのＰＯＳ端末２７と、複数のメダルゲーム機２９と、顧客毎の、メダルの預入れ又は払出し数を含むメダル情報を、顧客を識別するための顧客識別情報に関連付けて記憶するメダル管理データベース３１と、顧客の情報を格納する顧客管理データベース３３と、を含んで構成され、上述した各機器間は、ＬＡＮ（無線ＬＡＮを含む）回線３５を介して接続されている。なお、メダル預け払出機２１、メダル貸出機２３、両替機２５、ＰＯＳ端末２７、及び複数のメダルゲーム機２９は、本発明において、広告配信サーバ１３から配信されてきた広告データの提供媒体である各種機器としての役割を果たす。
【００１８】
各種機器としてのメダル預け払出機２１は、図２に示すように、メダルの預け払出を行う際の手順等（遊技に関する業務サービス）を視覚的に提供する一方で、商品やサービス等の広告を視覚的に提供する際に用いられる、例えば１５インチサイズのタッチパネル式液晶表示パネル３７（画像表示装置）と、メダルの預け払出を行う際の注意事項等（遊技に関する業務サービス）を聴覚的に提供する一方で、商品やサービス等の広告を聴覚的に提供する際に用いられるスピーカ３９（音声表示装置）と、顧客が所持する携帯電話に内蔵された非接触型ＩＣカード（不図示）に記憶された情報の読み取り／書き込み機能を有するＩＣカードリーダライタ４１と、金銭を投入する際に用いられる金銭投入口４３と、メダルの預入れ又は払出しを行う際に用いられるメダル預け払出口４５と、音声や映像データを外部機器にアップロードする際に用いられるＵＳＢ（ユニバーサルシリアルバス）やIEEE1394などのポート４７と、メダル預け払出機２１の稼動モードを、広告提供モードから遊技施設モードへと復帰させる際に顧客によって操作される復帰キー４９と、を備えて構成されている。
【００１９】
上述の如く構成されたメダル預け払出機２１は、自機があるべき状態を検知する状態検知部５１と、状態検知部５１で自機が待機状態にあるべきではないことを検知したとき、自機を遊技施設モードで稼動させる一方、状態検知部５１で自機が待機状態にあるべきことを検知したとき、自機を広告提供モードで稼動させるように、状態検知部５１での状態検知に基づいて自機の稼動モードを切換制御する制御部５３と、広告配信サーバ１３から配信されてきた広告データを記憶するための記憶部５５と、を内蔵しており、制御部５３の働きによって、自機が待機状態にあるべきではないときには遊技施設モードで稼動させる一方、自機が待機状態にあるべきときには広告提供モードで稼動させるように作用する。
【００２０】
次に、上述の如く構成されたメダル預け払出機２１の動作について、図３を参照して説明する。
【００２１】
遊技施設内における各種機器（メダル預け払出機２１、メダル貸出機２３、両替機２５、ＰＯＳ端末２７、及び複数のメダルゲーム機２９）にあっては、その全てが常に顧客に利用されているわけではなく、誰も使用していない待機状態にある各種機器も存在する。そこで、本発明に係る広告配信システム１１では、遊技施設モードで稼動している各種機器について、自機が待機状態にあるべきことを検知したとき、自機の稼動モードを、広告提供モードに切換えることにより、空いている各種機器を広告提供媒体として利用することとした。そうした各種機器の動作について、メダル預け払出機２１を例示して図３に示す。
【００２２】
ステップＳ１〜Ｓ２において、メダル預け払出機２１に電源が投入されると、機器の初期化処理が実行されて、メダル預け払出機２１は遊技施設モードで稼動をはじめる。
【００２３】
ステップＳ３において、メダル預け払出機２１の制御部５３は、状態検知部５１の状態検知内容に基づいて、自機が待機状態にあるべきか否かに係る待機判定処理を実行する。この待機判定処理の結果、制御部５３は、状態検知部５１で自機が待機状態にあるべきではないことを検知したとき、処理の流れをステップＳ２へ戻して、自機を遊技施設モードで稼動させる一方、状態検知部５１で自機が待機状態にあるべきことを検知したとき、処理の流れをステップＳ４へ進ませて、自機を広告提供モードで稼動させるように、状態検知部５１での状態検知内容に基づいて、自機の稼動モードを切換制御する。
【００２４】
ここで、自機が待機状態にあるべきか否かは、メダル預け払出機２１が、遊技施設モードでの業務サービスを顧客に提供すべき状態にあるか否かに基づいて判定される。具体的には、メダル預け払出機２１が、遊技施設モードでの業務サービスを顧客に提供すべき状態にあるときとは、例えば、預けていたメダルの払出しを受けるために、ＩＣカードリーダライタ４１に、顧客が所持する非接触型ＩＣカード内蔵携帯電話がかざされたとき、メダルの貸出しを受けるために、金銭投入口４３に金銭が投入されたとき、メダルの預入れを行うために、メダル預け払出口４５にメダルが投入されたとき、顧客によって復帰キー４９が操作されたとき、又は、タッチパネル式液晶表示パネル３７において、顧客によって遊技施設モードへの復帰操作がなされたとき、などを例示することができる。
【００２５】
ステップＳ４において、制御部５３は、自機を広告提供モードで稼動させるように、自機の稼動モードを切換制御する。具体的には、制御部５３は、記憶部５５に記憶されている、広告配信サーバ１３から配信されてきた広告データを読み出して、例えば広告データが音声と映像を含むものの場合、タッチパネル式液晶表示パネル３７及びスピーカ３９を介して、広告提供処理を実行する。
【００２６】
このとき、例えば、タッチパネル式液晶表示パネル３７及びスピーカ３９を介して、新曲のプロモーションビデオとともに、同楽曲のメロディーが流れているのを視聴した顧客が、同楽曲の購入を希望したとする。この場合、顧客が、タッチパネル式液晶表示パネル３７に表示されている「購入」キーを操作し、現金、クレジットカード、又は電子マネーなどの決済手段を通じて代金の決済をすませると、該当する楽曲データが、ポート４７を介して、顧客が所持する記憶媒体内蔵の携帯端末（外部機器）にアップロードされるように構成すればよい。
【００２７】
また、例えば、タッチパネル式液晶表示パネル３７及びスピーカ３９を介して、スーパーマーケットのクーポン券付き特売情報を視聴した顧客が、同クーポン券の入手を希望したとする。この場合、顧客が、タッチパネル式液晶表示パネル３７に表示されている「クーポン取出し」キーを操作すると、該当するクーポン券が、発券部（不図示）を介して排出されるように構成すればよい。
【００２８】
さらに、例えば、タッチパネル式液晶表示パネル３７及びスピーカ３９を介して、映画の新作情報を視聴した顧客が、同新作映画のチケット購入を希望したとする。この場合、顧客が、タッチパネル式液晶表示パネル３７に表示されている「購入」キーを操作し、現金、クレジットカード、又は電子マネーなどの決済手段を通じて代金の決済をすませると、該当する新作映画のチケットが、発券部を介して排出されるように構成すればよい。
【００２９】
最後に、ステップＳ４における広告提供処理の実行後に、制御部５３は、処理の流れをステップＳ３へ戻して、以下の処理を繰り返し実行する。
【００３０】
以上述べたように、メダル預け払出機２１の制御部５３は、状態検知部５１で自機が待機状態にあるべきではないことを検知したとき、自機を遊技施設モードで稼動させる一方、状態検知部５１で自機が待機状態にあるべきことを検知したとき、自機を広告提供モードで稼動させるように、状態検知部５１での状態検知内容に基づいて、自機の稼動モードを切換制御するようにしたので、遊技に関する業務サービスを提供するための各種機器のうち、空いている各種機器を、広告配信サーバから配信されてきた商品やサービス等の広告提供媒体として利用することが可能となる結果として、遊技施設内において広告提供媒体の新たな設置場所を必要とせず、また、商品宣伝効果の側面でも満足度の高い広告配信システムを提供することができる。こうして広告提供サービスを行った見返りとして、遊技施設側は、広告主から相応の対価を受け取ることができるので、遊技施設内における資源の有効活用を図ることができる。
【００３１】
また、本発明に係る広告配信システム１１によれば、通信媒体１７を介して接続された外部の広告配信サーバ１３より広告データの配信を受けるように構成したので、広告配信サーバ１３における広告配信スケジュールを変更しさえすれば、各種機器において提供される広告の内容を容易に変更することができる。さらに、時間帯や客層等にあわせて広告内容を変更することや、新製品の広告を即時に行うことで初期反応をうかがうことができるなど、きめ細かい効果的な広告を行うことができる。
【００３２】
なお、どの顧客が、いつ、どの機器から提供されたどの広告にアクセスして、何をどのくらい購入したかなど、顧客毎の広告アクセス状況の情報を、顧客管理データベースに蓄積しておけば、異なる顧客毎の、きめ細かなマーケティング情報が得られることになるので、これを顧客単位での広告宣伝等に活用すれば、広告宣伝の奏功率を格段に向上させることができる。
【００３３】
［その他］
本発明は、上述した実施形態に限られるものではなく、請求の範囲及び明細書全体から読み取れる発明の要旨、あるいは技術思想に反しない範囲で適宜変更可能であり、そのような変更を伴う広告配信システムもまた、本発明における技術的範囲の射程に包含されるものである。
【００３４】
すなわち、例えば、図１に示す実施形態では、施設内システム１５において、メダル管理データベース３１及び顧客の情報を格納する顧客管理データベース３３を、独立して設ける例をあげて説明したが、本発明はこの例に限られるものではなく、メダル管理データベース３１及び顧客の情報を格納する顧客管理データベース３３を、メダル管理機としてのメダル預け払出機２１又はメダル貸出機２３に内蔵させるように構成することもできる。
【００３５】
最後に、本実施形態では、各種機器としてメダル預け払出機２１を例示して説明したが、本発明はこの例に限られるものではなく、メダル貸出機２３、両替機２５、ＰＯＳ端末２７、及び複数のメダルゲーム機２９を、各種機器としての広告提供媒体に利用するように構成することもできる。
【００３６】
タッチパネル式液晶表示パネル３７には、各機器特有の操作ボタン、表示部等を表示させ、自機の稼働モードでの各種操作を行わせることができる。
【図面の簡単な説明】
【００３７】
【図１】本発明の一実施形態を示す広告配信システムのブロック構成図である。
【図２】広告提供媒体として利用されるメダル預け払出機（各種機器の一例）の外観図である。
【図３】メダル預け払出機（各種機器の一例）の動作フローチャート図である。
【符号の説明】
【００３８】
１１  広告配信システム
１７  インターネット網（通信媒体）
２１  メダル預け払出機（各種機器）
２３  メダル貸出機（各種機器）
２５  両替機（各種機器）
２７  ＰＯＳ端末（各種機器）
２９  メダルゲーム機（各種機器）
３７  タッチパネル式液晶表示パネル（画像表示装置）
３９  スピーカ（音声表示装置）
４７  ポート
５１  状態検知部
５３  制御部
５５  記憶部
【図１】
2008032922.tif 000003
【図２】
2008032922.tif 000004
【図３】
2008032922.tif 000005